(57)【特許請求の範囲】
【請求項１】
ロアーカバーには複数のコネクタフレームが装着自在に構成され、この複数のコネクタフレームに各ワイヤーハーネスの端末に接続された複数のコネクタがそれぞれ集合された状態で固定されることによって前記ロアーカバー内に収容され、前記複数のコネクタの内にはワイヤーハーネスの端末同士を直接に接続するワイヤ−ワイヤ用コネクタを有する電気接続箱であって、
前記コネクタフレームの１つには一方の前記ワイヤ−ワイヤ用コネクタを固定し、前記コネクタフレームの他の１つには他方の前記ワイヤ−ワイヤ用コネクタを固定し、前記した双方のコネクタフレームを前記ロアーカバーに装着する時に双方の前記ワイヤ−ワイヤ用コネクタ同士が嵌合するよう構成し、
双方の前記コネクタフレームを前記ロアーカバーにスライド移動によって装着できるよう構成し、後から装着する前記コネクタフレームに設けられ、前記ロアーカバーへの装着時に押圧する押圧操作部を双方の前記ワイヤ−ワイヤ用コネクタ同士を嵌合するのに最適な位置であるワイヤ−ワイヤ用コネクタの真上位置に設定し、前記コネクタフレームの両方を前記ロアーカバーに設けられたボス部に固定したことを特徴とする電気接続箱。
【発明の詳細な説明】
【０００１】
【発明の属する技術分野】
本発明は、各ワイヤーハーネスの端末同士を直接に接続するワイヤ−ワイヤ用コネクタをロアーカバー内に収容する電気接続箱に関する。
【０００２】
【従来の技術】
自動車等に搭載される電気接続箱は、ロアーカバー内に各ワイヤーハーネスの端末に接続された多数のコネクタを導き、このコネクタ間に分岐回路等の電気回路を介在させて所望の電気的処理を施すものであるが、中には何等の電気的処理を施すことなく単にワイヤーハーネス間を直接に電気的に接続するためのコネクタであるワイヤ−ワイヤ用コネクタも存在する。かかるワイヤ−ワイヤ用コネクタ同士も水による悪影響やモジュール化等の理由により電気接続箱内に収容する方が好ましい。従来では、ワイヤ−ワイヤ用コネクタも他のコネクタと同様に接続箱本体の各コネクタ固定部に固定し、ワイヤ−ワイヤ用コネクタ同士を中継端子等で接続する方法もあるが中継端子等が必要であると共に接続箱本体が大型化するという問題がある。
【０００３】
そこで、接続箱本体にコネクタ固定部が集中するのを回避するべく、ロアーカバーに収容する部品としてコネクタフレームを設け、このコネクタフレームに多数のコネクタを固定することによって多数のコネクタをロアーカバー内に集合された状態で収容するものが提案されている。そして、このコネクタフレームを利用してワイヤ−ワイヤ用コネクタ同士の接続を行うことが考えられる。その一手段として、例えばコネクタフレームに一方のワイヤ−ワイヤ用コネクタを固定し、この固定したコネクタフレームをロアーカバー内に装着し、ロアーカバー内の一方のワイヤ−ワイヤ用コネクタに他方のワイヤ−ワイヤ用コネクタを嵌合することが考えられる。
【０００４】
【発明が解決しようとする課題】
しかしながら、ロアーカバー内は高密度に収容部品が収容されるため、作業者が他方のワイヤ−ワイヤ用コネクタを握持し、ロアーカバー内に固定された一方のワイヤ−ワイヤ用コネクタに嵌合させる作業が非常にしずらく、手間がかかるという問題があった。
【０００５】
そこで、本発明は、前記した課題を解決すべくなされたものであり、ワイヤ−ワイヤ用コネクタ同士の嵌合作業を容易に、且つ、迅速にできる電気接続箱を提供することを目的とする。
【０００６】
【課題を解決するための手段】
請求項１の発明は、ロアーカバーには複数のコネクタフレームが装着自在に構成され、この複数のコネクタフレームに各ワイヤーハーネスの端末に接続された複数のコネクタがそれぞれ集合された状態で固定されることによって前記ロアーカバー内に収容され、前記複数のコネクタの内にはワイヤーハーネスの端末同士を直接に接続するワイヤ−ワイヤ用コネクタを有する電気接続箱にあって、前記コネクタフレームの１つには一方の前記ワイヤ−ワイヤ用コネクタを固定し、前記コネクタフレームの他の１つには他方の前記ワイヤ−ワイヤ用コネクタを固定し、前記した双方のコネクタフレームを前記ロアーカバーに装着する時に双方の前記ワイヤ−ワイヤ用コネクタ同士が嵌合するよう構成し、双方の前記コネクタフレームを前記ロアーカバーにスライド移動によって装着できるよう構成し、後から装着する前記コネクタフレームに設けられ、前記ロアーカバーへの装着時に押圧する押圧操作部を双方の前記ワイヤ−ワイヤ用コネクタ同士を嵌合するのに最適な位置であるワイヤ−ワイヤ用コネクタの真上位置に設定し、前記コネクタフレームの両方を前記ロアーカバーに設けられたボス部に固定したことを特徴とする。
【０００７】
この電気接続箱では、コネクタフレームをロアーカバーに装着すると、この装着過程でワイヤ−ワイヤ用コネクタ同士の嵌合がなされるもので、作業者が他方のワイヤ−ワイヤ用コネクタを直接に握持してロアーカバー内に挿入する必要がなく、又、コネクタフレームのロアーカバーへの装着動作と同時にワイヤ−ワイヤ用コネクタ間の嵌合がなされる。
【０００９】
この電気接続箱では、さらに、コネクタフレームをロアーカバーに装着するべく、コネクタフレームの押圧操作部を押圧すると、この押圧力が双方の前記ワイヤ−ワイヤ用コネクタ同士の嵌合力としても有効に作用する。
【００１０】
【発明の実施の形態】
以下、本発明の一実施形態を図面に基づいて説明する。
【００１１】
図１〜図８は本発明の一実施形態を示し、図１は電気接続箱の分解斜視図、図２はアッパーカバーを取り除いた電気接続箱の平面図、図３は電気接続箱の断面図、図４は接続箱本体の分解斜視図、図５（Ａ）は他方のコネクタフレームの平面図、図５（Ｂ）は一方のコネクタフレームの平面図、図６は一方のコネクタフレーム及びこれに固定されるワイヤ−ワイヤ用コネクタと他方のコネクタフレーム及びこれに固定されるワイヤ−ワイヤ用コネクタとの配置関係を示す分解斜視図、図７は双方のコネクタフレームをロアーカバーに装着する前の状態を示す断面図、図８は双方のコネクタフレームをロアーカバーに装着した状態を示す断面図である。
【００１２】
図１〜図３において、電気接続箱Ａは、上部が開口１ａしたロアーカバー１と、このロアーカバー１内に収容される接続箱本体２及びリレーボックス３と、下部が開口４ａし、ロアーカバー１の開口１ａを閉鎖するアッパーカバー４と、ロアーカバー１の側面に形成された各開口部１ｂにそれぞれスライド結合される２つのコネクタフレーム５、６とから主に構成されている。ロアーカバー１及びアッパーカバー４は共に合成樹脂製であり、ロアーカバー１の各開口部１ｂの両側の内壁には上下方向（スライド方向）に沿ってガイド溝１ｃがそれぞれ形成されている。又、ロアーカバー１の底面の内部には上方に突出するボス部７が設けられており、このボス部７の穴８内にはナット９が埋設されている。
【００１３】
接続箱本体２は、図４に示すように、上面に部品等が搭載される部品装着部１０ａを多数有するメインカバー１０と、このメインカバー１０の下方内側スペースの下面を覆うアンダーカバー１１と、これらの内部スペースに配置される中継端子１２と、同じく内部スペースに配置されるブスバー１３及び絶縁板１４で組付けられる配線板１５とから構成されている。そして、メインカバー１０、ブスバー１３、絶縁板１４及びアンダーカバー１１の各略中央位置にはボルト挿通穴１６がそれぞれ設けられており、この各ボルト挿通穴１６に挿通されたボルト１７がロアーカバー１のナット９に螺入されることによって接続箱本体２がロアーカバー１に固定される。
【００１４】
コネクタフレーム５、６は、図１及び図５〜図８に示すように、ロアーカバー１にスライドするべく垂直方向に延びるスライドプレート部２０とこのスライドプレート部２０に一体で水平方向に延設された収容プレート部２１とを有する。各スライドプレート部２０の両側面にはスライド壁２２が設けられ、このスライド壁２２がロアーカバー１の開口部１ｂのガイド溝１ｃに挿入されることによってスライド結合される。各収容プレート部２１にはボス挿入穴２３がそれぞれ設けられており、コネクタフレーム５、６をロアーカバー１の開口部１ｂにスライドする際にボス挿入穴２３にロアーカバー１のボス部７が挿入される。又、各収容プレート部２１にはそれぞれ３カ所にコネクタ固定部２４ａ〜２４ｃ、２５ａ〜２５ｃが設けられ、この各コネクタ固定部２４ａ〜２４ｃ、２５ａ〜２５ｃには所望のコネクタが固定自在に構成されている。
【００１５】
双方のコネクタフレーム５であって、ロアーカバー１への装着状態で上下に重なる１カ所のコネクタ固定部２４ａ、２５ａには、図６に示すように、ワイヤ−ワイヤ用コネクタ３０、３１がそれぞれ固定される。そして、双方のコネクタフレーム５、６のロアーカバー１への装着に際して後から挿入されるコネクタフレーム６つまり、収容状態で上位置となるコネクタフレーム６のコネクタ固定部２５ａの上方には操作押圧部２６が設けられている。ロアーカバー１の開口部１ｂに位置合せされたコネクタフレーム６はこの操作押圧部２６を押圧することによってスライド結合される。
【００１６】
次に、電気接続箱Ａの組付け作業過程にあってコネクタフレーム５、６の組付けを説明する。双方のコネクタフレーム５、６の各コネクタ固定部２４ａ〜２４ｃ、２５ａ〜２５ｃに所望のコネクタを固定する。ここで、コネクタ固定部２４ａ、２５ａにはワイヤ−ワイヤ用コネクタ３０、３１が固定される。次に、図７に示すように、ロアーカバー１の一方の開口部１ｂに一方のコネクタフレーム５を位置合せしてスライド移動する。すると、ワイヤ−ワイヤ用コネクタ３０が一方のコネクタフレーム５と共に下方に移動されてロアーカバー１内の奥の所定位置に位置される。
【００１７】
次に、ロアーカバー１の他方の開口部１ｂに他方のコネクタフレーム６を位置合せし、作業者が操作押圧部２６を手等で下方に押圧する。すると、他方のコネクタフレーム６がスライド移動し、この他方のコネクタフレーム６と共に下方に移動されるワイヤ−ワイヤ用コネクタ３１がロアーカバー１内の奥の所定位置に位置される。この他方のコネクタフレーム６のスライド移動に際して、図８に示すように、ワイヤ−ワイヤ用コネクタ３１が一方のコネクタフレーム５のワイヤ−ワイヤ用コネクタ３０に嵌合される。
【００１８】
以上、コネクタフレーム５、６をロアーカバー１に装着すると、この装着過程でワイヤ−ワイヤ用コネクタ３０、３１同士の嵌合がなされるもので、作業者が他方のワイヤ−ワイヤ用コネクタ３１を直接に握持してロアーカバー１内に挿入する必要がなく、又、コネクタフレーム５、６のロアーカバー１への装着動作と同時にワイヤ−ワイヤ用コネクタ３０、３１間の嵌合がなされるため、ワイヤ−ワイヤ用コネクタ３０、３１同士の嵌合作業を容易に、且つ、迅速にできる。
【００１９】
また、上記実施形態では、双方のコネクタフレーム５、６をロアーカバー１にスライド移動によって装着できるよう構成し、後から装着するコネクタフレーム６に設けられ、ロアーカバー１への装着時に押圧する押圧操作部２６を双方のワイヤ−ワイヤ用コネクタ３０、３１同士を嵌合するのに最適な位置であるワイヤ−ワイヤ用コネクタ３０、３１の真上位置に設定したので、コネクタフレーム６をロアーカバー１に装着するべく、コネクタフレーム６の押圧操作部２６を押圧すると、この押圧力がロアーカバー１への装着力として作用するのみならず双方のワイヤ−ワイヤ用コネクタ３０、３１同士の嵌合力としても有効に作用するため、双方のワイヤ−ワイヤ用コネクタ３０、３１同士を確実に嵌合させることができる。つまり、コネクタフレーム６の例えばスライドプレート部２０を押圧してスライド動作を行うと、コネクタフレーム６の撓みによってワイヤ−ワイヤ用コネクタ３０、３１同士の嵌合が不完全になるおそれがあるが、上記押圧操作部２６を押圧してスライド移動を行えばこのような事態が生じない。
【００２０】
【発明の効果】
以上説明したように、請求項１の発明によれば、コネクタフレームの１つには一方のワイヤ−ワイヤ用コネクタを固定し、コネクタフレームの他の１つには他方のワイヤ−ワイヤ用コネクタを固定し、双方のコネクタフレームをロアーカバーに装着する時に双方のワイヤ−ワイヤ用コネクタ同士が嵌合するよう構成したので、コネクタフレームをロアーカバーに装着すると、この装着過程でワイヤ−ワイヤ用コネクタ同士の嵌合がなされるもので、作業者が他方のワイヤ−ワイヤ用コネクタを直接に握持してロアーカバー内に挿入する必要がなく、又、コネクタフレームのロアーカバーへの装着動作と同時にワイヤ−ワイヤ用コネクタ間の嵌合がなされるため、ワイヤ−ワイヤ用コネクタ同士の嵌合作業を容易に、且つ、迅速にできる。
【００２１】
また、請求項１の発明によれば、双方のコネクタフレームをロアーカバーにスライド移動によって装着できるよう構成し、後から装着するコネクタフレームに設けられ、ロアーカバーへの装着時に押圧する押圧操作部を双方のワイヤ−ワイヤ用コネクタ同士を嵌合するのに最適な位置に設定したので、請求項１の発明の効果に加え、コネクタフレームをロアーカバーに装着するべく、コネクタフレームの押圧操作部を押圧すると、この押圧力が双方のワイヤ−ワイヤ用コネクタ同士の嵌合力としても有効に作用するため、双方のワイヤ−ワイヤ用コネクタ同士を確実に嵌合させることができる。
【図面の簡単な説明】
【図１】本発明の一実施形態を示し、電気接続箱の分解斜視図である。
【図２】本発明の一実施形態を示し、アッパーカバーを取り除いた電気接続箱の平面図である。
【図３】本発明の一実施形態を示し、電気接続箱の断面図である。
【図４】本発明の一実施形態を示し、接続箱本体の分解斜視図である。
【図５】本発明の一実施形態を示し、（Ａ）は他方のコネクタフレームの平面図、（Ｂ）は一方のコネクタフレームの平面図である。
【図６】本発明の一実施形態を示し、一方のコネクタフレーム及びこれに固定されるワイヤ−ワイヤ用コネクタと他方のコネクタフレーム及びこれに固定されるワイヤ−ワイヤ用コネクタの配置関係を示す分解斜視図である。
【図７】本発明の一実施形態を示し、双方のコネクタフレームをロアーカバーに装着する前の状態を示す断面図である。
【図８】本発明の一実施形態を示し、双方のコネクタフレームをロアーカバーに装着した状態を示す断面図である。
【符号の説明】
Ａ  電気接続箱
１  ロアーカバー
１ｂ  開口部
１ｃ  ガイド溝
５、６  コネクタフレーム
２２  スライド壁
２６  押圧操作部
３０、３１  ワイヤ−ワイヤ用コネクタ
【図１】
0003981235.tif 000002
【図２】
0003981235.tif 000003
【図３】
0003981235.tif 000004
【図４】
0003981235.tif 000005
【図５】
0003981235.tif 000006
【図６】
0003981235.tif 000007
【図７】
0003981235.tif 000008
【図８】
0003981235.tif 000009